(57)【特許請求の範囲】
【請求項１】
有線又は無線のネットワーク通信機能を有するスタンド型デジタルディスプレイ装置において、
製品の情報を含むコンテンツを表示するための少なくとも一つのディスプレイ部を前方端に備えた本体と、
前記本体の左／右側部に着脱可能に取り付けられ、電子カタログサービスのコンテンツを表示し、前記電子カタログサービスの申請を受け付けるためのタッチスクリーンユニットとを含んでなり、
前記タッチスクリーンユニットが、前記本体の左／右側部に設けられた開口部に対して結合部によって着脱され、
前記タッチスクリーンユニットは、
コンテンツ表示およびユーザー操作命令の入力のためのタッチスクリーンと、
名刺挿入動作によって名刺情報をスキャンし、訪問者の情報をデータ化するための名刺リーダーユニットと、
会員認証のために会員カードを認識して会員の情報を読み取るマグネチックカードリーダーユニットおよびＲＦＩＤカードリーダーユニットと、を含み、
前記結合部は、
前記タッチスクリーンがユーザーに向くように前記開口部に挿入される支持部材と、
前記支持部材が前記開口部に挿入された状態で、前記開口部の上下部に形成した連結孔と共にネジが螺挿される、前記支持部材の一側上下部に形成した貫通孔と、を備える、ことを特徴とするスタンド型デジタルディスプレイ装置。
【請求項２】
前記結合部の一側面には、前記本体との信号を送受信するための信号スロット連結ユニットと、前記本体に供給される電源を前記タッチスクリーンユニットへ供給するための電源連結ユニットとを含むことを特徴とする、請求項１に記載のスタンド型デジタルディスプレイ装置。
【請求項３】
有線又は無線のネットワーク通信機能を有するスタンド型デジタルディスプレイ装置において、
製品の情報を含むコンテンツを表示するための少なくとも一つのディスプレイ部を前方端に備えた本体と、
前記本体の左／右側部に着脱可能に取り付けられ、電子カタログサービスのコンテンツを表示し、前記電子カタログサービスの申請を受け付けるためのタッチスクリーンユニットと、を含んでなり、
前記タッチスクリーンユニットが、前記本体の左／右側部に設けられた開口部に対して結合部によって着脱され、
前記タッチスクリーンユニットは、
コンテンツ表示およびユーザー操作命令の入力のためのタッチスクリーンと、
名刺挿入動作によって名刺情報をスキャンし、訪問者の情報をデータ化するための名刺リーダーユニットと、
会員認証を行うために会員カードを認識して会員の情報を読み取るマグネチックカードリーダーユニットおよびＲＦＩＤカードリーダーユニットと、を含み、
前記電子カタログサービスは、前記会員カードの類型に応じて前記マグネチックカードリーダーユニットまたは前記ＲＦＩＤカードリーダーユニットを介して認識した前記会員カードから読み取った情報を利用した会員認証の後、電子カタログの電子メール受信の要請が前記タッチスクリーンユニットを介して入力されると、電子カタログ発送申請信号がサーバへ伝送され、当該サーバに格納された電子カタログファイルが、前記タッチスクリーンユニットを介して入力された電子メールアドレスへ伝送される、ことを特徴とするスタンド型デジタルディスプレイ装置。
【発明の詳細な説明】
【技術分野】
【０００１】
本発明は、デジタルディスプレイ装置に関し、より詳しくは、展示場で広報のためにコンテンツを表示し、ユーザーに電子カタログを電子メールで伝送する、スタンド型デジタルディスプレイ装置に関する。
【背景技術】
【０００２】
一般に、展示場には製品に対する広報のためにカタログが備えられている。
【０００３】
カタログは、印刷物の形態であって、通常、広報するための商品の前に備えられるか、或いはしおり（ブックマーク）として存在する。
【０００４】
このような印刷物形態のカタログは、製作コストが高すぎ、カタログを大量で製作するときに制限がある。
【０００５】
印刷会社では高い製作コストのため基本的な印刷数量を指定し、製作会社別の製作コストは紙の材質および印刷方法によって異なる。その上、カタログの他に封筒などの付随資材などに対する製作コストがさらに発生する。
【０００６】
また、カタログは、数量が限定されるため、１日の配布数量を定めなければならない。展示会の初期に全てのカタログの在庫がなくなってしまった場合、残った展示会期間には配布することができなくなり、或いは追加製作するとしても、残った展示会の日程を合わせることができない可能性があり、追加製作期間にはカタログを配布することができないという問題がある。
【０００７】
一方、展示会終了後に残ったカタログは、追って営業用として活用することもあるが、新規製品などの追加情報などが発生したら使用することができなくなり、廃棄処分されることもある。
【発明の概要】
【発明が解決しようとする課題】
【０００８】
本発明は、上述した問題点を解決するためのもので、その目的は、展示会上で、上下に分離されたデジタルディスプレイ画面を通じて、製品を含む各種コンテンツを様々な形で広報することができるとともに、電子カタログを電子メールで伝送することができる、スタンド型デジタルディスプレイ装置を提供することにある。
【０００９】
また、本発明の他の目的は、名刺リーダーを介して訪問客に対するデータベースを確保することができる、スタンド型デジタルディスプレイ装置を提供することにある。
【００１０】
また、本発明の別の目的は、本体の左右側に設けられてユーザーに向けるタッチスクリーンを介して、人の移動が多い展示場における広告効果を高めることができる、スタンド型デジタルディスプレイ装置を提供することにある。
【００１１】
また、本発明の別の目的は、訪問客の要請に応じてカタログを伝送するから、印刷物形態での製作コストを節約することができる、スタンド型デジタルディスプレイ装置を提供することにある。
【課題を解決するための手段】
【００１２】
上記目的は、有線又は無線のネットワーク通信機能を有するスタンド型デジタルディスプレイ装置であって、前記コンテンツを表示するための少なくとも一つのディスプレイ部を前方端に備える本体と、前記本体の左／右側部に着脱可能に取り付けられ、電子カタログサービスを含むコンテンツの運営のためのタッチスクリーンユニットとを含んでなり、前記タッチスクリーンユニットが、前記本体の左／右側部に設けられた開口部に対して結合手段によって着脱されることを特徴とする、スタンド型デジタルディスプレイ装置によって達成される。
【００１３】
本発明によれば、前記本体を支持し、少なくとも一つの脚輪を備えた支えユニットをさらに含むことを特徴とする。
【００１４】
本発明によれば、前記タッチスクリーンユニットは、コンテンツの表示およびユーザー操作命令の入力のためのタッチスクリーンと、名刺挿入動作によって名刺情報をスキャンし、訪問者の情報をデータ化するための名刺リーダーユニットと、カードを読み取って会員認証を行うためのマグネチックカードリーダーユニットおよびＲＦＩＤカードリーダーユニットと、前記本体に対して着脱される結合部とを含んでなることを特徴とする。
【００１５】
前記ディスプレイ部は、２Ｄコンテンツおよび３Ｄコンテンツの中から任意に選択して表示することを特徴とする。
【００１６】
本発明によれば、前記タッチスクリーンユニットは、挿入された前記名刺を排出するための名刺排出口と、前記名刺排出口が備えられる面に設けられたイメージボードとをさらに含むことを特徴とする。
【００１７】
本発明によれば、前記結合部は、前記本体に設けられた開口部に前記タッチスクリーンユニットの一側部が挿入されるようにその上下部にそれぞれ設けられた支持部材の貫通孔を含み、前記結合部の貫通孔と前記本体の開口部の上下部に設けられた連結孔にネジが螺挿されて結合されることを特徴とする。
【００１８】
本発明によれば、前記結合部の一側には前記本体との信号を送受信するための信号スロット連結ユニットと、前記本体に供給される電源を前記タッチスクリーンユニットへ供給するための電源連結ユニットとを含むことを特徴とする。
【００１９】
本発明によれば、前記タッチスクリーンユニットは、前記タッチスクリーンの設けられた上端部が後方に一定の角度で傾いた構造を持つことを特徴とする。
【００２０】
本発明によれば、前記電子カタログサービスは、会員カードの類型に応じて、マグネチックカードリーダーユニットまたはＲＦＩＤカードリーダーユニットを介して会員認証を行って電子カタログを電子メールで送受信することを特徴とする。
【００２１】
本発明によれば、前記本体の上端には広告の露出度を測定するためのカメラをさらに備えることを特徴とする。
【発明の効果】
【００２２】
本発明のスタンド型デジタルディスプレイ装置によれば、展示会場において、上下に分離されたデジタル画面を通じて、製品を含むコンテンツを様々な形で広報することができるとともに、電子カタログを電子メールで受信することができるという効果がある。
【００２３】
また、本発明のスタンド型デジタルディスプレイ装置によれば、名刺リーダーを介して訪問客に対するデータベースを確保することができるという効果がある。
【００２４】
また、本発明のスタンド型デジタルディスプレイ装置によれば、本体の左右側に設けられてユーザーに向けるタッチスクリーンを介して、人の移動が多い展示場における広告効果を高めることができるという効果がある。
【００２５】
また、本発明のスタンド型デジタルディスプレイ装置によれば、サーバーに格納された電子カタログが訪問客の要請に応えて伝送されるから、需要に応じる伝送によって、印刷物形態での製作コストの浪費を防ぐことができるという効果がある。
【図面の簡単な説明】
【００２６】
【図１】本発明の実施例に係るスタンド型デジタルディスプレイ装置を示す斜視図である。
【図２】本発明の実施例に係るスタンド型デジタルディスプレイ装置のタッチスクリーンユニットの側面図である。
【図３】本発明の実施例に係るスタンド型デジタルディスプレイ装置の後端構造を示す図である。
【図４】本発明の実施例に係るスタンド型デジタルディスプレイ装置の結合部の構造を示す図である。
【図５】本発明の実施例に係るスタンド型デジタルディスプレイ装置の結合部のスロット結合形態を例示的に示す図である。
【発明を実施するための形態】
【００２７】
本発明の具体的な構成は添付図面に示されているとおりである。
【００２８】
本明細書および特許請求の範囲に使用された用語または単語は、通常的或いは辞典的な意味に限定して解釈されてはならず、発明者が発明の内容を最善の方法で説明するために用語の概念を適切に定義することができるという原則に基づき、本発明における用語は本発明の技術的思想に符合する意味と概念で理解および解釈されなければならない。
【００２９】
本明細書の実施例と図面に開示された構造は、本発明の最も好適な一実施例に過ぎないもので、本発明の技術的思想を全て含むものではない。よって、本出願は本発明を代替することが可能な実質的に同等の各種事物または変形例などを含むということを理解すべきである。
【００３０】
以下に添付図面を参照しながら、本発明の好適な実施例を詳細に説明する。
【００３１】
図１は本発明の実施例に係るスタンド型デジタルディスプレイ装置の一実施例を示す斜視図、図２は本発明の実施例に係るスタンド型デジタルディスプレイ装置のタッチスクリーンユニットの側面図、図３は本発明の一実施例に係るスタンド型デジタルディスプレイ装置の後端構造を示す図である。
【００３２】
本発明の実施例に係るスタンド型ディスプレイ装置は、所謂デジタル情報ディスプレイ(Digital Information Display、ＤＩＤ)であって、銀行、デパート、ショッピングセンター、空港、ホテル、展示場などの室内および室外に設置され、各種案内情報と共に広告、映像および音響の提供に適したデジタルディスプレイ装置であると同時に、広告掲示が可能な情報サービス機能を有する複合映像媒体である。ＲＦＩＤ(Radio Frequency Identification)は、ＩＣチップと無線通信を介して製品、食品、動物、事物などの各種個体の情報を管理することが可能な次世代認識技術であって、最近ではクレジットカード、交通カードなどの電子料金支払システムまたは出入り統制システムに普遍的に用いられる。
【００３３】
それだけでなく、本発明の実施例に係るスタンド型デジタルディスプレイ装置は、展示場に設置して運営するためのデジタル情報ディスプレイであって、コンテンツを表示するための機能だけでなく、電子カタログサービス申請のための手段としても使われる。
【００３４】
電子カタログは、製品を広報しようとする展示会参加会社或いは展示場側から、電子カタログサービスを運営する会社に製作要請をして、予め電子カタログ製作作業を完了してサーバーに格納しておくことが好ましい。
【００３５】
前記電子カタログサービスは、訪問客からデジタルディスプレイ装置に電子カタログの電子メール受信の要請が入力されると、電子カタログ発送申請信号がサーバーへ伝送され、サーバーに格納された電子カタログファイルが、要請された電子メールアドレスへ伝送されるアルゴリズムで提供可能である。
【００３６】
したがって、サーバーに格納された電子カタログは、訪問客の要請に応えて必要な回数だけ伝送されるから、印刷物形態での製作コストの浪費を防ぐことができる。
【００３７】
前記スタンド型デジタルディスプレイ装置は、コンテンツを表示するための少なくとも一つのディスプレイ部２０ａ、２０ｂを前方端に備える本体１０と、前記本体１０の左／右側部に着脱可能に取り付けられ、電子カタログサービスを含むコンテンツの運営のためのタッチスクリーンユニット１００とを含んでなり、前記タッチスクリーンユニット１００が前記本体１０の左／右側部の開口部１５０に対して結合手段によって着脱され、下端には前記本体１０を支持し且つ少なくとも一つの脚輪２３を有する支えユニット２２が備えられ、前記本体１０の上端には広告の露出度を測定するためのカメラ３０が備えられている。
【００３８】
前記スタンド型デジタルディスプレイ装置は、図示してはいないが、有線又は無線のネットワーク通信が可能なモジュールを搭載し、サーバーから遠隔制御が可能であることが好ましく、前記カメラ３０を介して前記サーバーへ露出情報を伝送する。
【００３９】
前記タッチスクリーンユニット１００は、コンテンツディスプレイおよびユーザー操作命令の入力のためのタッチスクリーン１２０と、名刺挿入によって情報をスキャンして訪問者の情報をデータ化するための名刺リーダーユニット１０４と、カードを読み取って会員認証を行うためのマグネチックカードリーダーユニット１０６およびＲＦＩＤカードリーダーユニット１１２と、前記本体１０に対して着脱するための結合部１４５と、前記名刺を排出するための名刺排出口１１０と、前記名刺排出口１１０および前記ＲＦＩＤカードリーダーユニット１１２を除いた空間面に設けられ、イメージを挿入するためのイメージボード１０８とから構成される。
【００４０】
前記タッチスクリーンユニット１００は、上端部１０１と下端部１０２に区分できるが、ユーザーのタッチスクリーン１２０操作を便利にするために、タッチスクリーン１２０の備えられた上端部が後方に一定の角度で傾いた構造をしている。
【００４１】
前記タッチスクリーンユニット１００は、電子カタログサービス申請のためのプログラムが内蔵されており、Ｗｅｂブラウザーの形でオンライン電子メール申請ができるように構成されることが好ましい。
【００４２】
前記ディスプレイ部２０ａ、２０ｂは、上／下部に区分され、上下の画面は同時に一つの広告映像を表示する、又は、独立に運営されることにより、様々なコンテンツを実現することができる。
【００４３】
また、ディスプレイ部２０ａ、２０ｂに３Ｄ用フィルムおよびスクリーンを適用すると、３Ｄコンテンツの運営が可能となる。
【００４４】
前記名刺リーダーユニット１０４は、名刺投入口に挿入される名刺に対して、名刺に入っているイメージを文字形式で認識し、訪問客の情報をファイルとして格納してデータベースに収容する。挿入された名刺は名刺排出口１１０から取り出す。
【００４５】
したがって、前記名刺リーダーユニット１０４を用いて展示場訪問客のリストを自動生成することができる。
【００４６】
訪問客は、前記スタンド型デジタルディスプレイ装置を介して製品関連コンテンツ情報を考察し、該当製品に対する詳細情報の確認のために電子カタログサービスを申請することができる。訪問客は、前記タッチスクリーンユニット１００に備えられたマグネチックカードリーダーユニット１０６またはＲＦＩＤカードリーダーユニット１１２を介してカードを認識して会員認証を行い、タッチスクリーン１２０に表示される電子カタログサービス申請画面を介して本人の電子メールアドレスを入力して電子カタログサービスを申請することができるうえ、製品の購入も可能である。
【００４７】
前記本体１０の一側または両側に備えられたタッチスクリーンユニット１００は、広告を展示するときの可視領域を確保する効果がある。
【００４８】
前記スタンド型デジタルディスプレイ装置の後端には、装置の後端の上下に備えられた、ディスプレイ部２０ａ、２０ｂの換気のための換気口２１１、２１２と、修理のための開閉ドア２１０、２２０がそれぞれ設けられている。
【００４９】
図４は本発明の実施例に係るスタンド型デジタルディスプレイ装置の結合部の構造を示す図、図５は本発明の実施例に係るスタンド型デジタルディスプレイ装置の結合部のスロット結合形態を例示的に示す図である。
【００５０】
まず、結合部１４５は、本体１０に設けられた開口部１５０にタッチスクリーンユニットの一側部が挿入され、上下部に設けられた支持部材１４３の貫通孔１４２および前記本体１０の開口部１５０の上下部に設けられた連結孔１５２にネジ１４０が螺挿されて結合される。
【００５１】
デジタルディスプレイ装置の設置空間によれば、前記ネジ１４０の螺挿のみで着脱可能になる。
【００５２】
前記結合部１４５は、ネジ１４０を使った形態だけでなく、弾力クリップ構造によっても着脱可能であり、その他様々な結合形態で構成してもよい。
【００５３】
図５に示すように、タッチスクリーンユニット１００が本体１０に結合するとき、本体１０の開口部１５０の内側に設けられた信号スロット１６０および電源スロット１６２が、結合部１４５の前方端に設けられた信号スロット連結ユニット１４４および電源連結ユニット１４６に嵌合され、本体１０とタッチスクリーンユニット１００の信号送受信によってコンテンツディスプレイモジュールに連結されると同時に前記タッチスクリーンユニット１００へ電源が供給でき、別途の電源線が不要である。
【００５４】
前記本体１０の一側または両側に備えられたタッチスクリーンユニット１００は、広告を展示するときの可視領域を確保するために、前記本体１０の信号スロット１６０を介してコンテンツ情報を受信して表示する。
【００５５】
本発明は、上述したように好適な実施例を挙げて図示し説明したが、これらの実施例に限定されるものではなく、本発明の精神から外れない範囲内において、当該発明の属する技術分野における通常の知識を有する者によって、本発明の技術思想と特許請求の範囲の均等範囲内で様々な修正および変形が可能である。
【符号の説明】
【００５６】
１０    本体
２０ａ、２０ｂ    ディスプレイ部
２２    支えユニット
３０    カメラ
１００    タッチスクリーンユニット
１０４    名刺リーダーユニット
１０６    マグネチックカードリーダーユニット
１０８    イメージボード
１１０    名刺排出口
１１２    ＲＦＩＤカードリーダーユニット
１２０    タッチスクリーン
１４５    結合部
【図１】
0005147975.tif 000002
【図２】
0005147975.tif 000003
【図３】
0005147975.tif 000004
【図４】
0005147975.tif 000005
【図５】
0005147975.tif 000006